(57)【要約】【課題】寝具の繊維状ゴミや大きな綿ゴミ等を確実に吸い込むことができる電気掃除機の吸込口体を提供すること。【解決手段】集塵開口部を有する筐体と、この筐体内に揺動可能に設けられた叩き板と、前記本体内に設けられたモータ、駆動力伝達機構および弾発部材とを備え、前記叩き板は、前記筐体内に回動可能に保持された軸部と、この軸部から径方向外方へ突出する叩き板部とを有し、前記叩き板部が一方向へ動くように前記弾発部材によって弾発的に付勢されると共に、前記叩き板部が他方向へ動くように前記駆動力伝達機構を介して前記モータの回転力が伝達されるよう構成されたことを特徴とする電気掃除機の吸込口体。【選択図】図３
2016036504.tif 000002
【特許請求の範囲】
【請求項１】
集塵開口部を有する筐体と、この筐体内に揺動可能に設けられた叩き板と、前記筐体内に設けられたモータ、駆動力伝達機構および弾発部材とを備え、
前記叩き板は、前記筐体内に回動可能に保持された軸部と、この軸部から径方向外方へ突出する叩き板部とを有し、前記叩き板部が一方向へ動くように前記弾発部材によって弾発的に付勢されると共に、前記叩き板部が他方向へ動くように前記駆動力伝達機構を介して前記モータの回転力が伝達されるよう構成されたことを特徴とする電気掃除機の吸込口体。
【請求項２】
前記駆動力伝達機構は、前記モータの回転力が伝達されて回転するカムを有し、
前記叩き板は、前記軸部から径方向外方へ突出して前記弾発部材と当接する弾発部材当接片と、前記軸部から径方向外方へ突出して前記カムと当接するカム当接片とを有する請求項１に記載の電気掃除機の吸込口体。
【請求項３】
前記筐体における前記集塵開口部の周囲および／または前記叩き板部に補助開口部が設けられた請求項１または２に記載の電気掃除機の吸込口体。
【請求項４】
前記軸部は、筐体内における集塵開口部よりも空気の流路の上流側に配置され、前記軸部を中心に前記叩き板部を回動させる請求項１〜３のいずれか１つに記載の電気掃除機の吸込口体。
【請求項５】
前記筐体の集塵開口部の両側に円弧形状リブが設けられ、前記円弧形状リブが被清掃面と対面する請求項１〜４のいずれか１つに記載の電気掃除機の吸込口体。
【発明の詳細な説明】
【技術分野】
【０００１】
本発明は、布団や毛布等の寝具に付着した塵埃やゴミ等を除去する電気掃除機の吸込口体に関する。
【背景技術】
【０００２】
寝具用の電気掃除機の吸込口体としては、布団上で回転する車輪および回転清掃体を備えるもの（例えば、特許文献１参照）、布団上で振動するビータを備えるもの（例えば、特許文献２参照）等が提案されている。
【０００３】
特許文献１の吸込口体は、回転清掃体の軸の両端に車輪が取り付けられているため、布団上で車輪が転がることにより回転清掃体が回転するように構成されている。
また、特許文献２の吸込口体は、一対のばねおよび振動子の３点でビータを支持し、回転するカムによって振動子を介してビータを上下に振動させるように構成されている。
【先行技術文献】
【特許文献】
【０００４】
【特許文献１】特開２００３−３８３９５号公報
【特許文献２】特許第４５１２６２４号公報
【発明の概要】
【発明が解決しようとする課題】
【０００５】
特許文献１の吸込口体において、回転清掃体は布団上で回転して擦れることにより布団から塵埃を叩き出そうとするものであるが、叩き効果は弱い。
特許文献２の吸込口体において、ビータには複数の小さな吸引口が形成されているが、髪の毛や糸屑のような細長い繊維状ゴミや大きな綿ゴミ等は吸引口を通り難い。また、吸込口体の底面に設けた開口部にビータを嵌め込んでいるためその開口部の端縁とビータとの間に僅かに隙間が形成されているが、その隙間は狭いため大きな綿ゴミを吸い込むことは難しい。
【０００６】
本発明はこのような課題に鑑みなされたものであり、寝具の繊維状ゴミや大きな綿ゴミ等を確実に吸い込むことができる電気掃除機の吸込口体を提供することを目的とする。
【課題を解決するための手段】
【０００７】
かくして、本発明によれば、集塵開口部を有する筐体と、この筐体内に揺動可能に設けられた叩き板と、前記本体内に設けられたモータ、駆動力伝達機構および弾発部材とを備え、
前記叩き板は、前記筐体内に回動可能に保持された軸部と、この軸部から径方向外方へ突出する叩き板部とを有し、前記叩き板部が一方向へ動くように前記弾発部材によって弾発的に付勢されると共に、前記叩き板部が他方向へ動くように前記駆動力伝達機構を介して前記モータの回転力が伝達されるよう構成された電気掃除機の吸込口体が提供される。
【発明の効果】
【０００８】
本発明の電気掃除機の吸込口体によれば、集塵開口部で揺動する叩き板部によって布団や毛布といった寝具に付着したゴミ（塵埃、髪の毛や糸屑等の繊維状ゴミ、大きな綿ゴミ等）を叩き出す叩き効果が大きい。しかも、叩き板部が筐体内側へ揺動することで集塵開口部が大きく開くため、長い繊維状ゴミや大きな綿ゴミを集塵開口部から確実に吸い込むことができる。
【０００９】
また、叩き板部は、弾発部材の付勢力によって叩き方向に揺動するため、万が一ユーザーの指が集塵開口部の端縁と叩き板部との間に挟まっても弾発部材の付勢力より強い力で叩き板部を動かすことができるので怪我の心配はほとんどない。
さらに、モータと駆動力伝達機構と叩き板とは分離可能であるため、分解して叩き板を水洗いするといったメンテナンスを容易に行うことができる。
【図面の簡単な説明】
【００１０】
【図１】本発明の吸込口体を備えた電気掃除機の実施形態１を示す斜視図である。
【図２】実施形態１の電気掃除機における吸込口体であって（Ａ）は平面図、（Ｂ）は側面図、（Ｃ）は底面図である。
【図３】実施形態１の吸込口体の上ケースを外した状態の平面図である。
【図４】実施形態１の吸込口体の分解図である。
【図５】実施形態１の吸込口体の駆動力伝達機構側の一部断面図である。
【図６】（Ａ）〜（Ｄ）は駆動力伝達機構によって叩き板を揺動させる作用説明図である。
【図７】実施形態２の吸込口体の上ケースを外した状態の平面図である。
【図８】実施形態３の吸込口体の上ケースを外した状態の平面図である。
【図９】実施形態４の吸込口体における叩き板の斜視図である。
【図１０】図９の叩き板の底面図である。
【図１１】図９の叩き板の断面図である。
【図１２】実施形態５の吸込口体の側面図である。
【図１３】実施形態５の吸込口体の正面図である。
【図１４】（Ａ）は実施形態５の吸込口体の斜め後から視た斜視図、（Ｂ）は別の角度で斜め後から視た斜視図である。
【図１５】実施形態６の吸込口体の斜め後から視た斜視図である。
【図１６】実施形態７の吸込口体における叩き板付近を示す構成図である。
【発明を実施するための形態】
【００１１】
（実施形態１）
図１は本発明の回転体の保持構造を備えた電気掃除機の実施形態１を示す斜視図である。
この電気掃除機１は、集塵部および電動送風機等を有する掃除機本体２と、ホース３および延長パイプ４を介して掃除機本体２と接続された吸込口体１００５とを備える。なお、延長パイプ４のハンドル４ａには操作部４ｂが設けられている。
【００１２】
本発明の特徴は、吸込口体１００５の構造にあり、その他の構成は特に限定されないため、主として吸込口体１００５について説明する。なお、本明細書において、「前後方向」は吸込口体１００５を進退させる方向を指し、「左右方向」は吸込口体１００５の正面に向かって左右の方向を指す。
【００１３】
＜吸込口体＞
図２は実施形態１の電気掃除機における吸込口体であって（Ａ）は平面図、（Ｂ）は側面図、（Ｃ）は底面図である。また、図３は実施形態１の吸込口体の上ケースを外した状態の平面図であり、図４は実施形態１の吸込口体の分解図であり、図５は実施形態１の吸込口体の駆動力伝達機構側の一部断面図である。
【００１４】
実施形態１における吸込口体１００５は、叩き板によって布団や毛布等の寝具に付着した塵埃、髪の毛や糸屑等の繊維状ゴミ、綿ゴミ等を叩き出して吸い取る吸込口体である。
【００１５】
この吸込口体１００５は、全体の形状がＴ形であり、寝具の被清掃面に対向する集塵開口部１０５１ｘを有する寝具清掃用の装着ユニット１０５１と、装着ユニット１０５１と着脱可能に接続すると共に延長パイプ４と着脱可能に接続する吸込口本体５２とを有する。
【００１６】
［装着ユニット］
装着ユニット１０５１は、下ケース１０５１ａ1、上ケース１０５１ａ2および端部カバー１０５１ａ3を有してなる筐体１０５１ａと、筐体１０５１ａ内に設けられた叩き板１０５１ｂと、叩き板１０５１ｂを揺動させる駆動力伝達機構１０５１ｃおよび弾発部材１０５１ｄとを備える。
【００１７】
下ケース１０５１ａ1は、底壁１０５１ａ11と、底壁１０５１ａ11の外周に沿って連設された周囲壁１０５１ａ12とを有する。
下ケース１０５１ａ1における集塵開口部１０５１ｘを有する前方部と、集塵開口部１０５１ｘよりも後方の後方部との間には、これらの領域を区画する区画壁１０５１ａ13が設けられている。
【００１８】
また、底壁１０５１ａ11の下面における集塵開口部１０５１ｘの周囲には、前後方向に延びる複数のリブ１０５１ａ111が設けられている。これらのリブ１０５１ａ111は、それらの下端が平坦に形成されており、吸込口体１００５の下面を寝具に押し付けたときに寝具と下面との間に隙間を形成し、集塵開口部１０５１ｘが寝具に吸い付くことを抑制する。
【００１９】
底壁１０５１ａ11および周囲壁１０５１ａ12には、叩き板１０５１ｂおよび駆動力伝達機構１０５１ｃを保持する複数のリブおよび段部が形成されており、集塵開口部１０５１ｘの左右両側のリブおよび段部は、叩き板１０５１ｂを保持する役割を担っている。これについて詳しくは後述する。
【００２０】
［叩き板］
叩き板１０５１ｂは、軸部１０５１ｂ1と、軸部１０５１ｂ1の両端に回転自在に設けられた軸受部５１Ｂと、軸部１０５１ｂ1から径方向外方へ突出する叩き板部１０５１ｂ2、摘み片１０５１ｂ3、弾発部材当接片１０５１ｂ4およびカム当接片１０５１ｂ5とを有する。
【００２１】
弾発部材１０５１ｄとしてはコイルスプリング、板バネ等のバネや、ゴム、発泡樹脂成形体等の弾力性を有する材料を用いることができ、弾発部材１０５１ｄは下ケース部１０５１ａ1における弾発部材当接片１０５１ｂ4の近傍位置に配置される。また、弾発部材１０５１ｄとしてのバネにおける弾発部材当接片１０５１ｂ4との当接部分１０５１ｅにゴム、発泡樹脂成形体等からなるクッション材を貼り付けて静音性を得るようにしてもよい。
【００２２】
［駆動力伝達機構］
駆動力伝達機構１０５１ｃは、吸込口本体５２の駆動ギヤ部５２ａ2と噛合可能なギヤ部１０５１ｃ1と、叩き板１０５１ｂのカム当接片１０５１ｂ5と当接可能なカム部１０５１ｃ2と、外側ケース部１０５１ｃ3と、内側ケース部１０５１ｃ4とを備える。なお、外側ケース部１０５１ｃ3には水抜き孔１０５１ｃ221が形成されている。
【００２３】
外側ケース部１０５１ｃ3と内側ケース部１０５１ｃ4とはネジにて連結され、連結されて組み立てられたケース内には、外側ケース部１０５１ｃ3に相互に平行に固着された３本の金属軸１０５１ｃ5、１０５１ｃ6、１０５１ｃ7と、ギヤ形の第１〜４プーリ１０５１ｃ8、１０５１ｃ9、１０５１ｃ10、１０５１ｃ11および一対のベルト１０５１ｃ12、１０５１ｃ13が収納されている。
【００２４】
ギヤ部１０５１ｃ1は、そのボス部が金属軸１０５１ｃ5に一体回転可能に取り付けられている。また、金属軸１０５１ｃ5には小さい第１プーリ１０５１ｃ8が固着されている。
【００２５】
カム部１０５１ｃ2は筒状の軸部を有し、その軸部の一端が金属軸１０５１ｃ7に一体回転可能に取り付けられると共に、金属軸１０５１ｃ7に大きい第４プーリ１０５１ｃ11が固着されている。また、カム部１０５１ｃ2の軸部の他端にも金属軸が固着されており、この金属軸に軸受を介して軸受部５１Ｂが取り付けられている。
【００２６】
また、中間の金属軸１０５１ｃ6には大きい第２プーリ１０５１ｃ9および小さい第３プーリ１０５１ｃ10が固着されている。そして、第１と第２プーリ１０５１ｃ8、１０５１ｃ9がベルト１０５１ｃ12にて張架され、第３と第４プーリ１０５１ｃ10、１０５１ｃ11が別のベルト１０５１ｃ13にて張架されている。
【００２７】
このように構成された駆動力伝達機構１０５１ｃによれば、後述する吸込口本体５２のモータＭからの回転力がギヤ部１０５１ｃ1に伝達されて回転すると、その回転力が第１プーリ１０５１ｃ8、ベルト１０５１ｃ12、第２プーリ１０５１ｃ9、第３プーリ１０５１ｃ10、ベルト１０５１ｃ13および第４プーリ１０５１ｃ11を介してカム部１０５１ｃ2に伝達され、それによってカム部１０５１ｃ2が回転する。このとき、第１プーリ１０５１ｃ8の回転速度は、例えば、６〜１２％程度に減速されてカム部１０５１ｃ2に伝達される。
【００２８】
［吸込口本体］
図２〜図４に示すように、吸込口体１００５の吸込口本体５２は、全体の形状がＴ形であり、吸込口体１００５の装着ユニット１０５１と着脱可能な第１筺体部５２ａと、第１筺体部５２ａの左右長手方向の中間部の後端側に前後軸心廻りに回動可能に接続された接続部５２ｂと、接続部５２ｂに対して揺動可能に接続された第２筺体部５２ｃとを備える。
【００２９】
第１筺体部５２ａは、左右長手方向の中間部の前端側に開口する吸引口５２ａ1が形成されている。また、第１筺体部５２ａの右側には、駆動力伝達機構１０５１ｃのギヤ部１０５１ｃ1と噛合可能な吸込口本体５２の駆動ギヤ部５２ａ2を回転させるモータＭが内蔵されている。
【００３０】
接続部５２ｂは、第１筺体部５２ａの左右長手方向の中間部の後端側に設けられた筒形部５２ａ4の内部に気密かつ回動可能に嵌め込まれる前接続部５２ｂ1と、凹曲面状の内面を有する前接続部５２ｂ1と連設された後接続部５２ｂ2とを有する。また、後接続部５２ｂ2の上部には切欠き５２ｂ21が形成されている。
【００３１】
第２筺体部５２ｃは、接続部５２ｂの後接続部５２ｂ2内に気密かつ揺動可能に嵌め込まれる前接続部５２ｃ1と、延長パイプ４と着脱可能に接続される後接続部５２ｃ2とを有する。後接続部５２ｃ2は、延長パイプ４の接続端子と電気的に接続可能な複数の接続端子５２ｃ21が設けられており、これらの接続端子５２ｃ21はモータＭと電気的に接続されている。
【００３２】
［叩き板の動作］
図６（Ａ）〜（Ｄ）は駆動力伝達機構によって叩き板を揺動させる作用説明図である。
図６（Ａ）〜（Ｃ）に示すように、駆動力伝達機構１０５１ｃのカム部１０５１ｃ2が矢印Ａ方向に回転することによって、叩き板１０５１ｂにおいては、カム当接片１０５１ｂ5が下方に押され、それによって図６（Ｄ）に示すように軸部１０５１ｂ1が回動して叩き板部１０５１ｂ2が上方（矢印Ｂ方向）へ揺動する。このとき、吸込口本体５２の吸引口５２ａ1に向かって集塵開口部１０５１ｘが大きく開くため、大きな綿ゴミでも容易に吸い込むことができる。
【００３３】
そして、図６（Ａ）に示すようにカム当接片１０５１ｂ5がカム部１０５１ｃ2を乗り越えると、弾発部材１０５１ｄによって付勢された弾発部材当接片１０５１ｂ4が軸部１０５１ｂ1を反対方向へ回動させ、それによって叩き板部１０５１ｂ2が下方（矢印Ｃ方向）へ瞬時に揺動する。このように、叩き板１０５１ｂは上方（矢印Ｂ方向）と下方（矢印Ｃ方向）へ所定角度範囲で往復揺動する。このとき、叩き板１０５１ｂの重心が軸部１０５１ｂ1よりも叩き板部１０５１ｂ2側にあることに加え、叩き板部１０５１ｂ2は先端に向かって太くなっているため、遠心力も加わることによる叩き効果が高くなる。また、叩き板部１０５１ｂ2の先端は丸みを有しているため寝具へのダメージを低減している。これは、特に前後方向の移動で、吸込口体１００５を押し出すときより、引き寄せるときに叩き板部１０５１ｂ2の先端を引っかけてしまうことを防止することができるものである。この揺動する動作を繰り返すことで叩き板部１０５１ｂ2が、例えば、１分間に６００〜１２００ストローク程度の割合で揺動（振動）する。なお、カム部１０５１ｃ2およびカム当接片１０５１ｂ5の少なくともそれらが相互に接触する部分は、例えば、ＰＯＭ（ポリオキシメチレン）樹脂といった耐摩耗性材料にて形成してもよく、カム部１０５１ｃ2全体および叩き板１０５１ｂ全体を耐摩耗性材料にて形成してもよい。
【００３４】
図６（Ｄ）に示すように、吸込口体１００５の駆動時において、集塵開口部１０５１ｘから吸引口５２ａ1（図４参照）へ塵埃を含んだ空気が点線矢印で示す方向に流れる。したがって、図６（Ａ）〜（Ｄ）の図面上においては、吸込口体１００５の内部に設けられた集塵開口部１０５１ｘからの空気の主流路は右側（点線矢印の方向）に配置され、軸部１０５１ｂ1は空気の主流路の左側に配置されている。つまり、軸部１０５１ｂ1は空気の流路の上流側に配置されている。
【００３５】
叩き板部１０５１ｂ2が上下方向に揺動する際、空気の流路の方に向かって叩き板部１０５１ｂ2の振れ幅が大きくなる。そのため、寝具から出た塵埃を効率よく集塵することができる。また、空気が流れる方向とは反対側に軸部１０５１ｂ1が配置されているため気流を妨げない。
【００３６】
また、軸部１０５１ｂ1と叩き板部１０５１ｂ2の先端部を結んだ線をＬ１とすると、線Ｌ１よりも集塵開口部１０５１ｘ側へ膨らむ（突出した）ように屈曲させて叩き板部１０５１ｂ2を形成している。これは、集塵開口部１０５１ｘの開口面にできるだけ叩き板部１０５１ｂ2を近づけて略同一面上になるようにするためである。これにより、塵挨を含んだ空気が集塵開口部１０５１ｘへ流れ込む際に、寝具が下ケース１０５１ａ1（図４参照）の底壁１０５１ａ11と密着するのを和らげることができる。
【００３７】
［実施形態１の吸込口体の組み立ておよび分解］
吸込口体１００５の組み立てに際しては、まず、装着ユニット１０５１の下ケース１０５１ａ1に叩き板１０５１ｂおよび駆動力伝達機構１０５１ｃを取り付ける。この際、軸受部５１Ｂの軸受保持部１０５１Ａへの取り付けは、前記の説明の通りである。
【００３８】
次に、上ケース１０５１ａ2を下ケース１０５１ａ1に取り付ける。そして、吸込口本体５２を、装着ユニット１０５１の下ケース１０５１ａ1の区画壁１０５１ａ13よりも後方のスペースに挿入し右方向へスライド移動させることにより、吸込口本体５２の駆動ギヤ部１０５２ａ2が駆動力伝達機構１０５１ｃのギヤ部１０５１ｃ1と噛合する。このとき、下ケース１０５１ａ1の周囲壁１０５１ａ12および区画壁１０５１ａ13に設けられた複数の係止凸部１０５１ａ131が、吸込口本体５２の前面および後面に形成された複数の係止溝部５２ａ5に係止する。
その後、吸込口本体５２の左側に端部カバー１０５１ａ3を取り付けて完了する。
【００３９】
吸込口体１００５の分解は組み立ての手順と逆に行えばよい。このとき、ユーザーは摘み片１０５１ｂ3を摘んで叩き板１０５１ｂを取り外すことができる。モータＭ等の電気部品は吸込口本体５２内に収められ、装着ユニット１０５１内に電気部品は全く収められていないため、分解後の装着ユニット１０５１の各部品を水洗いすることができる。
【００４０】
（実施形態２）
図７は実施形態２の吸込口体の上ケースを外した状態の平面図である。なお、図７において、図３中の要素と同様の要素には同一の符号を付している。
実施形態２の吸込口体１１０５は、装着ユニット１１５１が異なる以外は実施形態１と同様である。すなわち、実施形態２における装着ユニット１１５１は、その底壁１１５１ａ11における区画壁１０５１ａ13よりも集塵開口部１０５１ｘ側に複数の補助開口部１１５１ａ111が形成されている。
【００４１】
実施形態２の場合、円形の補助開口部１１５１ｂ111が長手方向に一列で形成された場合を例示しているが、これに限定されず、例えば、補助開口部１１５１ｂ111を長手方向に細長く形成してもよい。集塵開口部１０５１ｘの周囲近傍に複数の補助開口部１１５１ａ111が設けられることにより、吸引箇所が分散されるため、集塵開口部１０５１ｘに寝具が吸い付くことを抑制することができると共に、集塵効率を高めることができる。
【００４２】
（実施形態３）
図８は実施形態３の吸込口体の上ケースを外した状態の平面図である。なお、図８において、図３中の要素と同様の要素には同一の符号を付している。
実施形態３の吸込口体１２０５は、叩き板１２５１ｂが異なる以外は実施形態１と同様である。すなわち、実施形態３における叩き板１２５１ｂは、その叩き板部１２５１ｂ2に複数の補助開口部１２５１ｂ21が形成されている。
【００４３】
実施形態３の場合、正方形の補助開口部１２５１ｂ21が長手方向に一列で形成された場合を例示しているが、これに限定されず、例えば、補助開口部１２５１ｂ21を長手方向または長手方向に垂直な方向に細長く形成してもよい。叩き板１２５１ｂの叩き板部１２５１ｂ2に複数の補助開口部１２５１ｂ21が設けられることにより、吸引箇所が分散されるため、集塵開口部１０５１ｘに寝具が吸い付くことを抑制することができると共に、集塵効率を高めることができる。またこの場合、叩き板部１２５１ｂ2は比較的広い面積を有しているため、大きな補助開口部１２５１ｂ21を形成することができる。この結果、大きな綿ゴミでも補助開口部１２５１ｂ21から吸い込むことが可能となる。
【００４４】
（実施形態４）
図９は実施形態４の吸込口体における叩き板の斜視図であり、図１０は図９の叩き板の底面図であり、図１１は図９の叩き板の断面図である。
実施形態４の吸込口体は、その叩き板１３５１ｂが異なる以外は実施形態１と同様である。すなわち、実施形態４における叩き板１３５１ｂは、その軸部１３５１ｂ1に複数の凹部１３５１ｂ11が形成され、叩き板部１３５１ｂ2の両面に複数の凹部１３５１ｂ21および複数の凹溝１３５１ｂ22が形成され、弾発部材当接片１３５１ｂ4の片面に複数の凹溝１３５１ｂ41が形成され、カム当接片１３５１ｂ5の片面に複数の凹溝１３５１ｂ51が形成されている。
【００４５】
実施形態４の場合、叩き板１３５１ｂの強度が維持されるように凹部および凹溝を部分的に形成し肉厚を薄くすることによって軽量化している。例えば、叩き板部１３５１ｂ2の寝具を叩く方の下面には長手方向に複数の凹溝１３５１ｂ22を形成することにより長手方向に複数のリブが形成され、叩き板部１３５１ｂ2の反対側の上面には複数の凹部１３５１ｂ21を長手方向に並べることにより長手方向と垂直な方向のリブを複数形成することによって、叩き板部１３５１ｂ2を軽量化しながら必要な強度を維持している。また、長手方向に複数の凹溝１３５１ｂ22を形成することで、叩き板部１３５１ｂ2の長手方向に対する反り返りを抑制することができる。このように叩き板１３５１ｂを軽量化することにより、カムを回転させる動力源であるモータＭの負担を軽減して長寿命化を図っている。
【００４６】
（実施形態５）
図１２は実施形態５の吸込口体の側面図であり、図１３は実施形態５の吸込口体の正面図である。また、図１４（Ａ）は実施形態５の吸込口体の斜め後から視た斜視図、（Ｂ）は別の角度で斜め後から視た斜視図である。なお、図１２〜図１４において、図１〜図５中の要素と同様の要素には同一の符号を付している。
【００４７】
実施形態５の吸込口体１４０５の場合、実施形態１と同様の下端が平坦なリブ１０５１ａ111に加えて、前後方向に延びかつ下端が円弧状に膨らんだ複数の小円弧形リブ１４５１ａ111および一対の大円弧形リブ１４５１ａ112と、左右方向に延びかつ下端が波形に形成された１つの波形リブ１４５１ａ113とが、装着ユニット１４５１の底壁１０５１ａ11に設けられている。
【００４８】
詳しく説明すると、実施形態５の装着ユニット１４５１において、複数の小円弧形リブ１４５１ａ111は、集塵開口部１０５１ｘの前側に配置されたリブ１０５１ａ111の間に設けられている。また、波形リブ１４５１ａ113は、集塵開口部１０５１ｘの前側の開口端縁に沿って設けられており、波形リブ１４５１ａ113の複数の頂部付近と複数の小円弧形リブ１４５１ａ111の後端とが繋がっている。一方、波形リブ１４５１ａ113の各頂部の間にある複数の円弧状谷部付近と複数のリブ１０５１ａ111の後端とが繋がっている。
【００４９】
一対の大円弧形リブ１４５１ａ112は、最も左側および右側に配置されたリブ１０５１ａ111の外側に設けられており、底壁１０５１ａ11における前端付近から後端付近に亘って延びている。なお、最も左側および右側に配置されたリブ１０５１ａ111と大円弧形リブ１４５１ａ112は一体であってもよい。また、一対の大円弧形リブ１４５１ａ112は、最も下方に膨らんだ頂部が集塵開口部１４５１ｘの辺りに配置されるような円弧形状に形成されている。そして、波形リブ１４５１ａ113の左右両端と一対の大円弧形リブ１４５１ａ112とが繋がっている。
【００５０】
このように構成された実施形態５の吸込口体１４０５によれば、図１２と図１３に示すように、吸込口体１４５１を布団Ｆに押し付けて清掃する際、吸込口体１４０５の前部と布団Ｆとの間に隙間Ｓ1が形成される。これにより、装着ユニット１４５１が布団Ｆに埋もれ難くなるため、吸込口体１４０５の布団Ｆ上での滑り性が向上する。すなわち、吸込口体１４０５を前進および後退させる操作をスムーズに行うことができる。
【００５１】
また、一対の大円弧形リブ１４５１ａ112は集塵開口部１４５１ｘの辺りで最も下方に膨らんだ円弧形状であるため、装着ユニット１４５１を布団Ｆ上で前後方向に揺動しても集塵開口部１０５１ｘと布団Ｆとの距離がほぼ一定に保たれる。これにより、装着ユニット１４５１を布団Ｆ上で前後方向に揺動しても吸引力をほぼ一定に保つことができる。
【００５２】
また、波形リブ１４５１ａ113の各円弧状谷部と布団Ｆとの間にも適度に隙間Ｓ2が形成される。この隙間Ｓ2は、布団Ｆによる集塵開口部１０５１ｘの密閉性が適度に保たれるように、適度な大きさで複数個設けられている。その結果、波形リブ１４５１ａ113の各頂部に塵埃や細かいゴミ等は引きずられることなく各隙間Ｓ2を通って集塵開口部１０５１ｘへ勢いよく吸い込まれる。
【００５３】
また、実施形態５の場合、装着ユニット１４５１の底壁１０５１ａ11における集塵開口部１０５１ｘの後方であって各リブ１０５１ａ111の間には補助開口部１４５１ａ114が形成されている。集塵開口部１０５１ｘの周囲近傍に複数の補助開口部１４５１ａ114が設けられることにより、吸引箇所が分散されるため、集塵開口部１０５１ｘの後側が寝具に吸い付くことを抑制することができると共に、集塵効率を高めることができる。
なお、実施形態５において、その他の構成は実施形態１と同様である。
【００５４】
（実施形態６）
図１５は実施形態６の吸込口体の斜め後から視た斜視図である。なお、図１５において、図１〜５、図１２〜１４中の要素と同様の要素には同一の符号を付している。
実施形態６の吸込口体１５０５の場合、実施形態５の吸込口体１４０５（図１２〜１４参照）における一対の大円弧形リブ１４５１ａ112の間の複数のリブ１０５１ａ111、複数の小円弧形リブ１４５１ａ111および波形リブ１４５１ａ113が設けられたスペースに、一対の大円弧形リブ１４５１ａ112の円弧曲面と連続的に繋がる円弧曲面部１５５１ａ111が設けられている。この円弧曲面部１５５１ａ111は、その前端および後端が底壁１０５１ａ11に段差無く滑らかに接するように湾曲している。なお、円弧曲面部１５５１ａ111には前後方向に延びる複数の溝が形成されていてもよく、これにより実施形態５における波形リブ１４５１ａ113（図１３参照）と同様の効果を得ることができる。
【００５５】
このように構成された実施形態６の吸込口体１５０５によっても、吸込口体１５０５の前後への良好な操作性と、装着ユニット１５５１を布団上で前後方向に揺動したときの一定に維持された吸引力を得ることができる。
なお、実施形態６において、その他の構成は実施形態５と同様である。
【００５６】
（実施形態７）
図１６は実施形態７の吸込口体における叩き板付近を示す構成図である。なお、図１６において、図６中の要素と同様の要素には同一の符号を付している。
実施形態７における叩き板１６５１ｂは、実施形態１における叩き板１０５１ｂのカム当接片１０５１ｂ5に、矢印Ａ方向に回転するカム部１０５１ｃ2と接触して逆方向に回転するローラ１６５１ｂ6が設けられたものである。このようにすれば、カム部１０５１ｃ2およびカム当接片１０５１ｂ5の摩耗を抑制することができる。
【００５７】
この場合、実施形態１と同様に、カム部１０５１ｃ2およびカム当接片１０５１ｂ5の少なくともそれらが相互に接触する部分は、例えば、ＰＯＭ（ポリオキシメチレン）樹脂といった耐摩耗性材料にて形成してもよく、カム部１０５１ｃ2全体および叩き板１０５１ｂ全体を耐摩耗性材料にて形成してもよい。
なお、実施形態７において、その他の構成は実施形態１と同様である。
【００５８】
（他の実施形態）
実施形態２と３を組み合わせてもよい。すなわち、吸込口体の集塵開口部の周囲と叩き板に補助開口部を設けてもよい。
【００５９】
実施形態２と４を組み合わせてもよい。すなわち、吸込口体の集塵開口部の周囲に補助開口部を設け、叩き板に凹部を設けてもよい。
【００６０】
実施形態３と４を組み合わせてもよい。すなわち、叩き板における叩き板部の凹部の箇所に補助開口部を形成してもよい。
【００６１】
実施形態２〜４を組み合わせてもよい。すなわち、吸込口体の集塵開口部の周囲に補助開口部を設け、叩き板における叩き板部の凹部の箇所に補助開口部を形成してもよい。
【００６２】
実施形態５〜７の吸込口体に、実施形態２〜４の要素を選択的に組み合わせてもよい。
【００６３】
実施形態１〜７では、カムと弾発部材を用いて叩き板を揺動させる機構を例示したが、本発明において叩き板を揺動させる機構はこれに限定されない。例えば、リンク機構を用いて回転運動を往復運動に変換して叩き板を揺動させてもよい。
【００６４】
実施形態１〜７では、吸込口本体に装着ユニットを分離可能に装着させることができる吸込口体を例示したが、本発明は、吸込口本体部分と装着ユニット部分が分離できずに一体化された吸込口体であってもよい。
【００６５】
（まとめ）
本発明の電気掃除機の吸込口体は、集塵開口部を有する筐体と、この筐体内に揺動可能に設けられた叩き板と、前記本体内に設けられたモータ、駆動力伝達機構および弾発部材とを備え、
前記叩き板は、前記筐体内に回動可能に保持された軸部と、この軸部から径方向外方へ突出する叩き板部とを有し、前記叩き板部が一方向へ動くように前記弾発部材によって弾発的に付勢されると共に、前記叩き板部が他方向へ動くように前記駆動力伝達機構を介して前記モータの回転力が伝達されるよう構成されている。
【００６６】
本発明の回転体の保持構造は、次のように構成されてもよく、それらが適宜組み合わされてもよい。
（１）前記駆動力伝達機構は、前記モータの回転力が伝達されて回転するカムを有し、
前記叩き板は、前記軸部から径方向外方へ突出して前記弾発部材と当接する弾発部材当接片と、前記軸部から径方向外方へ突出して前記カムと当接するカム当接片とを有してもよい。
このようにすれば、叩き板の揺動を、モータによるカムの回転力と弾発部材による付勢力とによって行うことができる。
【００６７】
（２）前記筐体における前記集塵開口部の周囲および／または前記叩き板部に補助開口部が設けられてもよい。
このようにすれば、吸引箇所が分散されるため、集塵開口部に寝具が吸い付くことを抑制することができると共に、集塵効率を高めることができる。
【００６８】
（３）前記軸部は、筐体内における集塵開口部よりも空気の流路の上流側に配置され、前記軸部を中心に前記叩き板部を回動させるようにしてもよい。
このようにすれば、空気の流路の方に向かって叩き板部の振れ幅を大きくさせることができる。これにより、叩き板部を回動（揺動）させて集塵開口部を開閉する際、集塵開口部が大きく開いたときに塵埃を含む空気を効率よく吸い込むことができる。また、集塵開口部よりも筐体外部に叩き板部を突出させず、集塵開口部の開口面と同一面上に叩き板部を配置させることが可能となる。これにより、塵挨を含んだ空気が集塵開口部へ流れ込む際に、寝具が筐体に密着するのを和らげることができる。
【００６９】
（４）前記筐体の集塵開口部の両側に円弧形状リブが設けられ、前記円弧形状リブが被清掃面と対面するようにしてもよい。
このようにすれば、吸込口体が寝具に埋もれ難くなるため、吸込口体の寝具上での滑り性が向上する。すなわち、吸込口体を前進および後退させる操作をスムーズに行うことができる。また、吸込口体を寝具上で前後方向に揺動しても吸引力をほぼ一定に保つことができる。
【００７０】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００７１】
１  電気掃除機
１００５、１１０５、１２０５  吸込口体
１０５１、１１５１、１２５１  装着ユニット
１０５１ｂ、１２５１ｂ  叩き板
１０５１ｂ1  軸部
１０５１ｂ2  叩き板部
１０５１ｂ4  弾発部材当接片
１０５１ｂ5  カム当接片
１０５１ｃ  駆動力伝達機構
１０５１ｃ2  カム
１０５１ｄ  弾発部材
１０５１ｘ  集塵開口部
１１５１ａ111、１２５１ｂ21  補助集塵口
１４５１ａ111  小円弧形リブ
１４５１ａ112  大円弧形リブ
Ｍ  モータ
【図１】
2016036504.tif 000003
【図２】
2016036504.tif 000004
【図３】
2016036504.tif 000005
【図４】
2016036504.tif 000006
【図５】
2016036504.tif 000007
【図６】
2016036504.tif 000008
【図７】
2016036504.tif 000009
【図８】
2016036504.tif 000010
【図９】
2016036504.tif 000011
【図１０】
2016036504.tif 000012
【図１１】
2016036504.tif 000013
【図１２】
2016036504.tif 000014
【図１３】
2016036504.tif 000015
【図１４】
2016036504.tif 000016
【図１５】
2016036504.tif 000017
【図１６】
2016036504.tif 000018